(57)【要約】【課題】単一のフォントデータ取得部を用いて番組情報を外部モニタ及び表示部に表示させることで、生産コストを抑えることが可能な映像記録再生装置及び番組情報表示方法を提供する。【解決手段】映像記録再生装置１０は、取得した番組情報に基づいて外部モニタ用処理部１９及び本体用処理部１１０のそれぞれで表示イメージ要求信号を生成する。映像記録再生装置１０は、操作指示の入力元に基づいてこれらの表示イメージ要求信号の処理に優先順位を付ける。操作入力部１２から操作指示が入力された場合は、本体用処理部１１０からの表示イメージ要求信号に従って取得されたフォントイメージを表示部１１に表示させる。一方、操作受信部１３で操作指示が受信された場合は、外部モニタ用処理部１９からの表示イメージ要求信号に従って取得されたフォントイメージを外部モニタ２０に表示させる。【選択図】      図２
2010161658.tif 000002
【特許請求の範囲】
【請求項１】
表示部を具備し、映像信号を外部モニタに表示させると共に、前記映像信号の番組情報を前記外部モニタ及び前記表示部に表示させる映像記録再生装置において、
前記映像信号を取得する映像信号取得手段と、
前記映像信号の番組情報を取得する番組情報取得手段と、
前記番組情報を前記外部モニタへ表示させるための第１の要求信号と、前記番組情報を前記表示部へ表示させるための第２の要求信号とのうちいずれかを選択的に出力する要求信号出力手段と、
フォントデータを予め記憶し、前記第１の要求信号を受け取った場合には前記記憶されたフォントデータから第１のフォントデータを取得し、前記第２の要求信号を受け取った場合には前記記憶されたフォントデータから第２のフォントデータを取得するフォントデータ取得手段と、
前記取得された映像信号に前記取得された第１のフォントデータを重畳して、前記外部モニタへ出力する出力手段と、
前記第２のフォントデータを前記表示部に表示させる表示処理手段と
を具備することを特徴とする映像記録再生装置。
【請求項２】
前記要求信号出力手段は、
前記第１の要求信号を生成する第１の信号生成部と、
前記第２の要求信号を生成する第２の信号生成部と、
前記生成された第１及び第２の要求信号を指定された優先順位に従って前記フォントデータ取得手段へ出力する優先順位処理手段と
を備えることを特徴とする請求項１記載の映像記録再生装置。
【請求項３】
操作指示が入力される操作入力部と、
外部コントローラからの操作指示を受信する操作受信部と
をさらに具備し、
前記優先順位処理手段は、前記操作受信部が操作指示を受信した場合には前記第１の要求信号を前記フォントデータ取得手段へ優先的に出力し、前記操作入力部に操作指示が入力された場合には前記第２の要求信号を前記フォントデータ取得手段へ優先的に出力することを特徴とする請求項２記載の映像記録再生装置。
【請求項４】
前記表示処理手段は、前記第２のフォントデータを前記表示部の表示形態に適応するように変換処理し、変換処理後の第２のフォントデータを前記表示部に表示させることを特徴とする請求項１記載の映像記録再生装置。
【請求項５】
前記表示処理手段は、前記第２のフォントデータによる文字サイズが前記表示部の表示サイズよりも大きい場合には当該表示サイズに合わせて前記第２のフォントデータを間引き、前記文字サイズが前記表示サイズよりも小さい場合には当該表示サイズに合わせて第２のフォントデータを補完することで前記変換処理を行うことを特徴とする請求項４記載の映像記録再生装置。
【請求項６】
表示部を具備し、映像信号を外部モニタに表示させると共に、前記映像信号の番組情報を前記外部モニタ及び前記表示部に表示させる映像記録再生装置に用いられる番組情報表示方法おいて、
前記映像信号を取得し、
前記映像信号の番組情報を取得し、
前記番組情報を前記外部モニタへ表示させるための第１の要求信号と、前記番組情報を前記表示部へ表示させるための第２の要求信号とのうちいずれかを選択し、
前記第１の要求信号を選択した場合には予め記憶したフォントデータから第１のフォントデータを取得し、
前記取得した映像信号に前記取得した第１のフォントデータを重畳して、前記外部モニタへ出力し、
前記第２の要求信号を選択した場合には前記予め記憶したフォントデータから第２のフォントデータを取得し、
前記第２のフォントデータを前記表示部に表示することを特徴とする番組情報表示方法。
【請求項７】
前記第１の要求信号を生成し、
前記第２の要求信号を生成し、
前記生成された第１及び第２の要求信号を指定された優先順位に従って選択することで、前記第１及び第２の要求信号のうちいずれかを選択することを特徴とする請求項６記載の番組情報表示方法。
【請求項８】
前記映像記録再生装置が、操作指示が入力される操作入力部と、外部コントローラからの操作指示を受信する操作受信部とをさらに具備する場合、
前記操作入力部に操作指示が入力されると、前記第２の要求信号を優先的に選択し、
前記操作受信部で外部コントローラからの操作指示が受信されると、前記第１の要求信号を優先的に選択することを特徴とする請求項７記載の番組情報表示方法。
【請求項９】
前記第２のフォントデータを前記表示部の表示形態に適応するように変換処理し、変換処理後の第２のフォントデータを前記表示部に表示することを特徴とする請求項６記載の番組情報表示方法。
【請求項１０】
前記変換処理は、
前記第２のフォントデータによる文字サイズが前記表示部の表示サイズよりも大きい場合には当該表示サイズに合わせて前記第２のフォントデータを間引き、
前記文字サイズが前記表示サイズよりも小さい場合には当該表示サイズに合わせて第２のフォントデータを補完することを特徴とする請求項９記載の番組情報表示方法。
【発明の詳細な説明】
【技術分野】
【０００１】
この発明は、例えば映像信号を外部モニタへ表示させる際に、その映像信号の番組情報を外部モニタと、本体に設置された表示部とに表示させる映像記録再生装置及びこの装置に用いられる番組情報表示方法に関する。
【背景技術】
【０００２】
映像記録再生装置の中には、外部モニタに表示させる映像信号の番組情報を外部モニタ及び本体に設置された表示部に表示させるものがある。この種の映像記録再生装置は、番組情報に基づくフォントイメージを外部モニタ及び表示部にそれぞれの表示可能サイズに見合ったサイズで表示させる必要がある。そこで、従来の映像記録再生装置では、フォントイメージデータを取得するフォントデータ取得部が外部モニタ用と表示部用とで別々に設けられている。そして、外部モニタに番組情報を表示させる際には、外部モニタ用のフォントデータ取得部にアクセスし、外部モニタ用のフォントデータ取得部に外部モニタに適したフォントイメージデータを取得させる。また、表示部に番組情報を表示させる際には、表示部用のフォントデータ取得部にアクセスし、表示部用のフォントデータ取得部に表示部に適したフォントイメージデータを取得させるようにしている。しかしながら、外部モニタ及び表示部毎にフォントデータ取得部を設置する場合、装置の高コスト化の要因となっていた。
【０００３】
なお、同一モニタにおいて２つの画面を切り替える際に、一つのフォントデータ取得部で取得されるフォントイメージデータを用いて両画面に文字情報を表示させる方法が提案されている（例えば、特許文献１参照）。しかしながら、特許文献１では、複数の表示部に文字情報を表示させる際に、フォントデータ取得部を共有することについては記載されていない。
【先行技術文献】
【特許文献】
【０００４】
【特許文献１】特開平８−１１５３１５号公報
【発明の概要】
【発明が解決しようとする課題】
【０００５】
以上のように、従来の映像記録再生装置では、外部モニタ及び表示部毎にフォントデータ取得部が設けられており、装置の高コスト化の要因となっていた。
【０００６】
この発明は上記事情によりなされたもので、その目的は、単一のフォントデータ取得部を用いて番組情報を外部モニタ及び表示部に表示させることで、生産コストを抑えることが可能な映像記録再生装置及び番組情報表示方法を提供することにある。
【課題を解決するための手段】
【０００７】
上記目的を達成するため、本発明に係る映像記録再生装置は、表示部を具備し、映像信号を外部モニタに表示させると共に、前記映像信号の番組情報を前記外部モニタ及び前記表示部に表示させる映像記録再生装置において、前記映像信号を取得する映像信号取得手段と、前記映像信号の番組情報を取得する番組情報取得手段と、前記番組情報を前記外部モニタへ表示させるための第１の要求信号と、前記番組情報を前記表示部へ表示させるための第２の要求信号とのうちいずれかを選択的に出力する要求信号出力手段と、フォントデータを予め記憶し、前記第１の要求信号を受け取った場合には前記記憶されたフォントデータから第１のフォントデータを取得し、前記第２の要求信号を受け取った場合には前記記憶されたフォントデータから第２のフォントデータを取得するフォントデータ取得手段と、前記取得された映像信号に前記取得された第１のフォントデータを重畳して、前記外部モニタへ出力する出力手段と、前記第２のフォントデータを前記表示部に表示させる表示処理手段とを具備する。
【０００８】
また、本発明に係る番組情報表示方法は、表示部を具備し、映像信号を外部モニタに表示させると共に、前記映像信号の番組情報を前記外部モニタ及び前記表示部に表示させる映像記録再生装置に用いられる番組情報表示方法おいて、前記映像信号を取得し、前記映像信号の番組情報を取得し、前記番組情報を前記外部モニタへ表示させるための第１の要求信号と、前記番組情報を前記表示部へ表示させるための第２の要求信号とのうちいずれかを選択し、前記第１の要求信号を選択した場合には予め記憶したフォントデータから第１のフォントデータを取得し、前記取得した映像信号に前記取得した第１のフォントデータを重畳して、前記外部モニタへ出力し、前記第２の要求信号を選択した場合には前記予め記憶したフォントデータから第２のフォントデータを取得し、前記第２のフォントデータを前記表示部に表示することを特徴とする。
【０００９】
上記構成による映像記録再生装置及び番組情報表示方法では、外部モニタに表示させる映像信号の番組情報を外部モニタ及び表示部に表示させるための第１及び第２の要求信号を生成し、このうちいずれか一方の要求信号を選択的にフォントデータ取得手段へ出力する。フォントデータ取得手段は、受け取った要求信号に従ってフォントデータを取得する。そして、第１の要求信号に従ってフォントデータが取得された場合、このフォントデータを映像信号に重畳して外部モニタへ出力する。また、第２の要求信号に従ってフォントデータが取得された場合、このフォントデータを表示処理手段により表示部に表示する。このように、フォントデータ取得手段へは、出力先が決められた一系統の要求信号が供給されることとなる。すなわち、映像記録再生装置は、一つのフォントデータ取得手段を用いて番組情報を外部モニタ及び表示部に表示させることが可能となる。
【発明の効果】
【００１０】
この発明によれば、単一のフォントデータ取得部を用いて番組情報を外部モニタ及び表示部に表示させることで、生産コストを抑えることが可能な映像記録再生装置及び番組情報表示方法を提供することができる。
【図面の簡単な説明】
【００１１】
【図１】本発明の一実施形態に係る映像記録再生装置の概観図である。
【図２】図１の映像記録再生装置の機能構成を示すブロック図である。
【図３】図１の映像記録再生装置が外部モニタ及び表示部に表示するためのフォントイメージを取得する際のフローチャートを示す図である。
【図４】図２のデータ変換部がフォントイメージデータのサイズ変換処理を行う際のフローチャートを示す図である。
【図５】図２の表示部の表示例を示す図である。
【図６】図１の外部モニタの表示例を示す図である。
【図７】図２の表示部の表示例を示す図である。
【図８】図１の外部モニタの表示例を示す図である。
【図９】図１の外部リモコンを示す図である。
【図１０】映像信号及び番組情報等のデータを取得する際の他の例を示す図である。
【発明を実施するための形態】
【００１２】
以下、図面を参照しながら本発明に係る映像記録再生装置の実施の形態について詳細に説明する。
【００１３】
図１は、本発明の一実施形態に係る映像記録再生装置１０の概観図である。図１における映像記録再生装置１０は、外部モニタ２０及び受信アンテナ（図示せず）と接続している。映像記録再生装置１０は、受信アンテナで受信されたデジタル放送波を受け取り、この放送波における映像信号を外部モニタ２０に表示させる。
【００１４】
映像記録再生装置１０の本体前面パネルには、表示部１１、操作入力部１２及び操作受信部１３が設けられる。表示部１１は、例えば、ＬＣＤ（Liquid Crystal Display）により成り、外部モニタ２０で表示される映像信号の番組情報等を表示する。操作入力部１２は、各種のボタンを備える。ユーザはこれらのボタンを操作することで、選局及び予約録画等の指示を入力することができる。操作受信部１３は、外部リモコン３０からの信号を受信するものである。ユーザは、外部リモコン３０の各種ボタンを操作することで、選局及び予約録画等の指示を映像記録再生装置１０に対して入力することができる。
【００１５】
図２は、本発明の一実施形態に係る映像記録再生装置１０の機能構成を示すブロック図である。
【００１６】
ＴＶチューナ１４は、受信アンテナで受信されたデジタル放送波のうち、後述する操作制御部１１７により指定された選局対象のチャンネルを含むデジタル放送波へのチューニングを行う。また、ＴＶチューナ１４は、受け取った放送波を復調することで、テレビ番組用の符号化映像信号と、データ放送用及び番組情報提供用の各種データとが多重されたＴＳ（Transport Stream）信号を生成し、分離部１５へ供給する。
【００１７】
分離部１５は、ＴＳ信号から、符号化映像信号と各種データとを分離して、符号化映像信号を映像信号処理部１６へ供給し、各種データをデータ取得部１７へ供給する。映像信号処理部１６は、供給された符号化映像信号をデコードして重畳部１８へ供給する。
【００１８】
データ取得部１７は、供給された各種データにおける番組情報の文字列情報を取得し、この文字列情報を外部モニタ用処理部１９及び本体用処理部１１０へそれぞれ供給する。
【００１９】
外部モニタ用処理部１９は、受け取った文字列情報に基づく文字列の表示イメージ情報を取得するべく、第１の表示イメージ要求信号を出力する。この第１の表示イメージ要求信号は、外部モニタ２０に番組情報を表示させるための信号である。一方、本体用処理部１１０は、受け取った文字列情報に基づく文字列の表示イメージ情報を取得するべく、第２の表示イメージ要求信号を出力する。この第２の表示イメージ要求信号は、表示部１１に番組情報を表示させるための信号である。
【００２０】
優先順位処理部１１１は、第１及び第２の表示イメージ要求信号を受け取り、操作制御部１１７からの通知に従って、いずれか一方の信号を優先的にフォントデータ取得部１１２へ供給する。優先順位処理部１１１は、フォントデータ取得部１１２において、優先的に出力した表示イメージ要求信号の処理が完了すると、次の表示イメージ要求信号をフォントデータ取得部１１２へ出力する。
【００２１】
フォントデータ取得部１１２は、日本語表示するためのフォントイメージデータを予め記憶したメモリ１１３を備えている。ここで、本実施形態では、メモリ１１３に記憶されるフォントイメージデータによる文字サイズは、外部モニタ２０の表示サイズに適したサイズとなっている。フォントデータ取得部１１２は、第１の表示イメージ要求信号が供給されると、メモリ１１３に記憶されたフォントイメージデータから所望のデータを取得し、このフォントイメージデータを重畳部１８へ出力する。また、フォントデータ取得部１１２は、第２の表示イメージ要求信号が供給されると、メモリ１１３に記憶されたフォントイメージデータから所望のデータを取得し、このフォントイメージデータをデータ変換部１１４へ出力する。
【００２２】
重畳部１８は、映像信号処理部１６から供給される映像信号に、フォントデータ取得部１１２からのフォントイメージデータを重畳して外部モニタインタフェース（Ｉ／Ｆ）１１５を介して外部モニタ２０へ出力する。
【００２３】
データ変換部１１４は、フォントデータ取得部１１２からのフォントイメージデータを表示部１１の表示サイズに合わせるべく変換を行う。このとき、フォントデータ取得部１１２で取得されたフォントイメージデータによる文字サイズが表示部１１の表示サイズより大きい場合、フォントイメージデータを間引くことで表示部１１の表示サイズに適応させる。一方、取得したフォントイメージデータによる文字サイズが表示部１１の表示サイズより小さい場合、フォントイメージデータを補完することで表示部１１の表示サイズに適応させるようにしている。
【００２４】
表示データ作成部１１６は、データ変換部１１４でサイズ変換されたフォントイメージデータを表示部１１の表示形態に適したデータに変換し、このデータを表示部１１に表示させる。
【００２５】
操作制御部１１７は、操作入力部１２からの操作指示又は、操作受信部１３で受信される外部リモコン３０からの操作指示を受け取る。操作制御部１１７は、受け取った操作指示に従い、ＴＶチューナ１４へ所望のチャンネルを含むデジタル放送波へチューニングするように指示を与える。また、操作制御部１１７は、操作入力部１２又は操作受信部１３からの操作指示を受け取った場合、いずれから操作指示を受け取ったのかを優先順位処理部１１１へ通知する。
【００２６】
次に、上記構成における映像記録再生装置１０の処理動作を詳細に説明する。図３は、本発明の一実施形態に係る映像記録再生装置１０が番組情報のフォントイメージを取得する際のフローチャートを示す図である。
【００２７】
まず、操作制御部１１７は、ユーザからの操作指示が入力されたか否かを判断する（ステップ３１）。ユーザからの操作指示が入力された場合（ステップ３１のＹｅｓ）、その操作指示が操作入力部１２から入力されたものか否かを判断する（ステップ３２）。操作制御部１１７は、操作指示が操作入力部１２からのものである場合（ステップ３２のＹｅｓ）、操作入力部１２からの操作指示があった旨を優先順位処理部１１１へ通知する。優先順位処理部１１１は、この通知を受けると、第１及び第２の表示イメージ要求信号のうち第２の表示イメージ要求信号をフォントデータ取得部１１２へ出力する（ステップ３３）。フォントデータ取得部１１２は、第２の表示イメージ要求信号に従って、メモリ１１３から所望のフォントイメージデータを取得する（ステップ３４）。取得されたフォントイメージデータは、データ変換部１１４へ出力される。
【００２８】
続いて、優先順位処理部１１１は、第２の表示イメージ要求信号に従ったフォントイメージデータの取得が終了したか否かを判断し（ステップ３５）、終了した場合（ステップ３５のＹｅｓ）、第１の表示イメージ要求信号をフォントデータ取得部１１２へ出力する（ステップ３６）。第２の表示イメージ要求信号に従ったフォントイメージデータの取得が終了していない場合（ステップ３５のＮｏ）、処理をステップ３４へ移行し、フォントデータ取得処理を繰り返す。フォントデータ取得部１１２は、ステップ３６において優先順位処理部１１１から出力された第１の表示イメージ要求信号を受け取ると、この第１の表示イメージ要求信号に従ったフォントイメージデータを取得する（ステップ３７）。
【００２９】
優先順位処理部１１１は、第１の表示イメージ要求信号に従ったフォントイメージデータの取得が終了したか否かを判断し（ステップ３８）、終了した場合（ステップ３８のＹｅｓ）、処理をステップ３１へ移行する。このとき取得されたフォントイメージデータは、重畳部１８へ出力される。また、第１の表示イメージ要求信号に従ったフォントイメージデータの取得が終了していない場合（ステップ３８のＮｏ）、処理をステップ３７へ移行し、フォントデータ取得処理を繰り返す。
【００３０】
また、ステップ３２において、入力された操作指示が操作受信部１３からの操作指示である場合（ステップ３２のＮｏ）、操作制御部１１７は、操作受信部１３からの操作指示があった旨を優先順位処理部１１１へ通知する。優先順位処理部１１１は、この通知を受けると、第１及び第２の表示イメージ要求信号のうち第１の表示イメージ要求信号をフォントデータ取得部１１２へ出力する（ステップ３９）。フォントデータ取得部１１２は、第１の表示イメージ要求信号に従って、メモリ１１３から所望のフォントイメージデータを取得する（ステップ３１０）。取得されたフォントイメージデータは、重畳部１８へ出力される。
【００３１】
続いて、優先順位処理部１１１は、第１の表示イメージ要求信号に従ったフォントイメージデータの取得が終了したか否かを判断し（ステップ３１１）、終了した場合（ステップ３１１のＹｅｓ）、第２の表示イメージ要求信号をフォントデータ取得部１１２へ出力する（ステップ３１２）。第１の表示イメージ要求信号に従ったフォントイメージデータの取得が終了していない場合（ステップ３１１のＮｏ）、処理をステップ３１０へ移行し、フォントデータ取得処理を繰り返す。フォントデータ取得部１１２は、ステップ３１２において優先順位処理部１１１から出力された第２の表示イメージ要求信号を受け取ると、この第２の表示イメージ要求信号に従ったフォントイメージデータを取得する（ステップ３１３）。
【００３２】
優先順位処理部１１１は、第２の表示イメージ要求信号に従ったフォントイメージデータの取得が終了したか否かを判断し（ステップ３１４）、終了した場合（ステップ３１４のＹｅｓ）、処理をステップ３１へ移行する。また、第２の表示イメージ要求信号に従ったフォントイメージデータの取得が終了していない場合（ステップ３１４のＮｏ）、処理をステップ３１３へ移行し、フォントデータ取得処理を繰り返す。
【００３３】
図４は、図２のデータ変換部１１４がフォントイメージデータのサイズ変換処理を行う際のフローチャートを示す図である。
【００３４】
データ変換部１１４は、取得したフォントイメージデータの文字サイズが表示部１１の表示サイズより大きいか否かを判断する（ステップ４１）。取得したフォントイメージデータの文字サイズが表示部１１の表示サイズより大きい場合（ステップ４１のＹｅｓ）、表示部１１の表示サイズと適合するようにフォントイメージデータのデータを間引く（ステップ４２）。また、取得したフォントイメージデータの文字サイズが表示部１１の表示サイズより小さい場合（ステップ４１のＮｏ）、表示部１１の表示サイズと適合するようにフォントイメージデータのデータを補完する（ステップ４３）。
【００３５】
図５乃至図８は、番組情報の表示例を示す模式図である。図５は映像記録再生装置１０の表示部１１の第１の表示例を示し、図６は外部モニタ２０の第１の表示例を示す。
【００３６】
映像記録再生装置１０の操作入力部１２からユーザが選局指示を直接入力した場合、表示部１１には、外部モニタ２０で表示される番組の番組名等が、外部モニタ２０に対して優先的に表示される。一方、外部リモコン３０によりユーザが選局指示を入力した場合、外部モニタ２０には、表示部１１に対して優先的に番組名等が表示される。
【００３７】
図７は映像記録再生装置１０の表示部１１の第２の表示例を示し、図８は外部モニタ２０の第２の表示例を示す。図７及び図８は、図７に示す操作入力部の予約録画ボタン又は、図９に示す外部リモコン３０の予約録画ボタンによりＴＶ番組の予約録画が設定される際の表示例を示す。
【００３８】
映像記録再生装置１０の操作入力部１２からユーザが予約録画指示を直接入力した場合、表示部１１には、予約録画を行いたい番組の番組名等が、外部モニタ２０に対して優先的に表示される。一方、外部リモコン３０によりユーザが予約録画指示を入力した場合、外部モニタ２０には、予約録画を行いたい番組の番組名等が、表示部１１に対して優先的に表示される。
【００３９】
以上のように、上記一実施形態では、外部モニタ用処理部１９及び本体用処理部１１０のそれぞれで表示イメージ要求信号を生成し、いずれか一方の表示イメージ要求信号を選択的にフォントデータ取得部１１２へ出力する。フォントデータ取得部１１２は、外部モニタ用処理部１９又は本体用処理部１１０からの表示イメージ要求信号に従ってフォントイメージデータを取得する。そして、映像記録再生装置１０は、外部モニタ用処理部１９からの表示イメージ要求信号に従って取得されたフォントイメージデータを外部モニタ２０に表示させ、本体用処理部１１０からの表示イメージ要求信号に従って取得されたフォントイメージデータを表示部１１に表示するようにしている。このように、フォントデータ取得部１１２へは、出力先が決められた一系統の表示イメージ要求信号が供給されることとなる。すなわち、映像記録再生装置１０は、一つのフォントデータ取得部１１２を用いて番組情報を外部モニタ２０及び表示部１１に表示させることが可能となる。
【００４０】
また、本一実施形態では、表示イメージ要求信号をフォントデータ取得部１１２へ選択的に出力する際、操作入力部１２及び操作受信部１３のいずれに操作指示が入力されたかに基づいて、その出力順序を決定するようにしている。すなわち、操作入力部１２から操作指示が直接入力された場合には、本体用処理部１１０からの表示イメージ要求信号を優先的にフォントデータ取得部１１２へ供給し、表示部１１への表示を優先させる。また、操作受信部１３で外部リモコン３０からの操作指示が受信された場合には、外部モニタ用処理部１９からの表示イメージ要求信号を優先的にフォントデータ取得部１１２へ供給し、外部モニタ２０への表示を優先させる。これにより、ユーザが操作入力部１２を操作している際には、外部モニタ２０よりも表示部１１に優先的に番組情報が表示されるため、表示部１１で番組名を確認しながらスムーズに処理を行うことが可能となる。また、ユーザが外部リモコン３０を操作している際には、表示部１１よりも外部モニタ２０に優先的に番組情報が表示されるため、外部モニタ２０で番組名を確認しながらスムーズに処理を行うことが可能となる。つまり、フォントデータ取得部が一つであっても、表示に早い更新応答性が求められる側からの要求を優先することで、操作応答性を確保することが可能となる。
【００４１】
また、上記一実施形態では、フォントデータ取得部１１２で取得されたフォントイメージデータの文字サイズを、データ変換部１１４で表示部１１の表示サイズに適したサイズに変換するようにしている。また、サイズ変換したフォントイメージデータを表示データ作成部１１６で表示部１１の表示形態に適した形態に変換するようにしている。これにより、単一のフォントデータ取得部により取得されたフォントイメージデータが表示対象に適応するものでない場合であっても、表示対象の使用に併せたイメージとして変換処理することが可能となる。
【００４２】
したがって、本発明に係る映像記録再生装置１０は、単一のフォントデータ取得部を用いて番組情報を外部モニタ及び表示部に表示させることができるため、外部モニタ及び表示部のそれぞれに専用のフォントデータ取得部を設ける場合と比較して生産コストを抑えることができる。
【００４３】
なお、この発明は上記各実施形態に限定されるものではない。例えば上記一実施形態では、ＴＶチューナ１４によりデジタル放送波を受信し、この放送波から符号化映像信号及び各種データを分離してそれぞれを処理する例について説明したが、映像信号と番組情報等のデータを取得する方法は、これに限定される訳ではない。例えば、図１０に示すような構造をしていても同様に実施可能である。図１０は、映像記録再生装置における信号受信部のその他の例を示すブロック図である。図１０では、デジタル形式の放送波を受け取るＴＶチューナ１４の代わりに、アナログ形式の放送波を受け取るＴＶチューナ１１８と、番組情報等のデータをインターネット等を介して取得する入力インタフェース（Ｉ／Ｆ）１１９とを具備する。そして、ＴＶチューナ１１８で得られた映像信号は映像信号処理部１６へ出力され、入力インタフェース１１９から入力された映像情報はデータ取得部１７へ出力される。
【００４４】
また、上記一実施形態では、外部から映像信号及び番組情報等のデータを取得する例について説明したが、映像記録再生装置がさらに記録メディアを具備し、この記録メディアから再生された映像信号を外部モニタ２０に表示させる場合であっても同様に実施可能である。この場合、記録メディアには映像信号に加えて番組情報も記録されており、映像記録再生装置は、記録メディアから映像信号と共に番組情報も読み出し、読み出した番組情報をデータ取得部１７へ出力する。
【００４５】
また、上記一実施形態では、フォントデータ取得部１１２で取得されたフォントイメージデータの文字サイズを、データ変換部１１４で表示部１１の表示サイズに適したサイズに変換する例について説明したが、この例に限定される訳ではない。例えば、重畳部１８の前段に新たなデータ変換部を設置し、フォントデータ取得部１１２で取得されたフォントイメージデータの文字サイズを、このデータ変換部で外部モニタ２０の表示サイズに適したサイズに変換する場合であっても同様に実施可能である。具体的には、メモリ１１３に表示部１１の表示サイズに適したサイズの文字サイズのフォントイメージデータが記憶され、フォントデータ取得部１１２により表示部１１の表示サイズに適したサイズのフォントイメージデータが取得される場合、重畳部１８の前段に設置されたデータ変換部により、フォントイメージデータの文字サイズを外部モニタ２０の表示サイズに適したサイズに変換するようにしてもよい。なお、フォントデータ取得部１１２で取得されたフォントイメージデータの文字サイズが外部モニタ２０の表示サイズよりも大きい場合には、この表示サイズに合わせて、取得されたフォントイメージデータを間引いてもよい。
【００４６】
また、上記一実施形態では、外部モニタ２０の表示内容と表示部１１の表示内容とが一致する例について説明したが、外部モニタ２０の表示内容と表示部１１の表示内容とを異なるようにすることも可能である。これは、例えば、外部モニタ用処理部１９及び本体用処理部１１０から出力される要求信号をそれぞれ変化させることにより実現可能である。なお、外部モニタ２０は、番組情報の他に様々な情報を同時に表示することも可能である。
【００４７】
さらに、この発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００４８】
１０…映像記録再生装置
１１…表示部
１２…操作入力部
１３…操作受信部
１４…ＴＶチューナ
１５…分離部
１６…映像信号処理部
１７…データ取得部
１８…重畳部
１９…外部モニタ用処理部
１１０…本体用処理部
１１１…優先順位処理部
１１２…フォントデータ取得部
１１３…メモリ
１１４…データ変換部
１１５…外部モニタＩ／Ｆ
１１６…表示データ作成部
１１７…操作制御部
１１８…ＴＶチューナ
１１９…入力Ｉ／Ｆ
２０…外部モニタ
３０…外部リモコン
【図１】
2010161658.tif 000003
【図２】
2010161658.tif 000004
【図３】
2010161658.tif 000005
【図４】
2010161658.tif 000006
【図５】
2010161658.tif 000007
【図６】
2010161658.tif 000008
【図７】
2010161658.tif 000009
【図８】
2010161658.tif 000010
【図９】
2010161658.tif 000011
【図１０】
2010161658.tif 000012